(57)【要約】【課題】ガラス管をチャックで把持することから、灯全体を軸線方向に動かしても、ストレスをガラス管に加えないで、蛍光灯を簡単な操作で容易に着脱交換可能な蛍光灯交換器具を構成する。【解決手段】片側のソケットケースＳ１と位置合せするプッシャ４を横桁フレーム３の片端側に備え付け、ガラス管ｌ１を把持乃至は解放可能なチャック５，６を横桁フレームの上に取付固定し、取手棒１の軸回し操作に伴う支柱軸２の軸回りを片側のソケットケースＳ１にあてがうプッシャ４と横桁フレーム３との相対的なズレ動きに変換する作動手段７を横桁フレーム３に設け、ガラス管ｌ１を把持するチャック５，６により、灯全体を片側のソケットＳ２から離間方向に軸線移動させて口金ｌ１をソケットＳ２より外し出す器具として構成した。【選択図】図１
2007073210.tif 000002
【特許請求の範囲】
【請求項１】
ソケットケースで収容した出没変位可能な各ソケットと口金を接続させて天井等の比較的高所に架設装着される直管型の蛍光灯交換器具であって、
軸回し操作用の取手棒と、取手棒の先端側より垂直に立ち上がる支柱軸と、取手棒の先端側より直角方向に延びて支柱軸を回転可能に軸承保持する横桁フレームとを基体とし、片側のソケットケースと位置合せするプッシャを横桁フレームの片端側に備え付け、蛍光灯のガラス管を把持乃至は解放可能なチャックを横桁フレームの上部に取付け固定し、更に、取手棒の軸回し操作に伴う支柱軸の軸回りを片側のソケットケースにあてがうプッシャと横桁フレームとの相対的なズレ動きに変換する作動手段を横桁フレームに設け、蛍光灯のガラス管を把持するチャックにより、灯全体を片側のソケットから離間方向に軸線移動させて口金をソケットより外し出す器具として構成したことを特徴とする蛍光灯交換器具。
【請求項２】
取手棒の先端側より立ち上がる支柱軸を長手方向中央で軸承保持する横桁フレームを基体に備え、支柱軸を介してチャックを横桁フレームの両側に取付固定すると共に、プッシャを横桁フレームの片端側に備え付けたことを特徴とする請求項１に記載の蛍光灯交換器具。
【請求項３】
口金の側面に接する位置決め板を両側に立ち上げた上向きコの字状のプッシャを横桁フレームの片端側に備え付けたことを特徴とする請求項１または２に記載の蛍光灯交換器具。
【請求項４】
四角筒状の横桁フレームを基体に備え、プッシャを横桁フレームの筒内に嵌装するスライドフレームで横桁フレームの片端側に備え付けると共に、該プッシャをスライドフレームと横桁フレームとの間に掛け渡す引張バネで横桁フレームの片端側に引張支持し、更に、スライドフレームを引張バネに抗して押送りする偏心カムを横桁フレームの筒内で支柱軸の同軸上に取り付け、取手棒の軸回し操作に伴う偏心カムの回転により、片側のソケットケースにあてがうプッシャと横桁フレームとの相対的なズレ動きに変換する作動手段を組み付けてなることを特徴とする請求項１〜３のいずれかに記載の蛍光灯交換器具。
【請求項５】
ガラス管の側面にあてがう二本の立上り軸部を基軸部より折り曲げて設けたフィンガーと、ガラス管の円管面に相応する半円弧面を有するパッドとを備え、半円弧面を上向きに，両側端を横桁フレームの長手方向に向けてパッドを横桁フレームの板面上に取り付け、フィンガーの基軸部を横桁フレームの下部縁に設けた止め環で保持させて横桁フレームの幅を隔てた二つのフィンガーをパッドの両側に相対させて組み付けると共に、フィンガーを横桁フレームの幅方向に亘って立上り軸部の相対相互に掛け渡す引張バネで互いに近接乃至は離間変位可能に組み付けたチャックを備え付けてなることを特徴とする請求項１または２に記載の電球交換器具。
【発明の詳細な説明】
【技術分野】
【０００１】
本発明は、ソケットケースで収容した出没変位可能な各ソケットと口金を接続させて天井等の比較的高所に架設装着される直管型蛍光灯交換器具に関するものである。
【背景技術】
【０００２】
直管型の蛍光灯としては、ソケットケースで収容した出没変位可能な各ソケットと口金を接続させて架設装着するものがある。この蛍光灯の場合、片側のソケットを灯全体で押圧させて没入させることから、他方の口金（「口金ピン」含む。以下同じ）を相対するソケット（「端子穴」を含む。以下同じ）より離間させて灯全体を外し出し、または、他方の口金を相対するソケットと接続することから着脱交換可能に備え付けられている。
【０００３】
天井等の比較的高所に架設装着される蛍光灯の着脱に対応するべく、従来、高所にまで延ばせる長尺な取手棒を備え、蛍光灯のガラス管を把持乃至は解放可能なチャックを取手棒の先端側に取付固定すると共に、蛍光灯の口金を銜えて灯全体を軸線方向に横ずらし可能な可動爪をチャックより離間位置する取手棒の先端側に取り付けた蛍光灯交換器具が知られている（特許文献１，２）。
【０００４】
それとは別に、上述した可動爪に代えて、口金とソケットとの隙間に差し込んで灯全体を軸線方向に横ずらしするよう口金の端部面より押圧可能な係合片を取手棒の先端側に取り付けた蛍光灯交換器具も知られている（特許文献３，４）。
【０００５】
それらの蛍光灯交換器具は、蛍光灯の取外し時で説明すれば、いずれも、蛍光灯のガラス管をチャックで把持すると共に、灯全体を可動爪または係合片でチャック側に向けて軸線送りするよう構成されている。即ち、ガラス管のチャックによる把持（固定点）に対し、灯全体を可動爪または係合片の可動側で押し送りするものとして構成されている。
【０００６】
それによると、灯全体を可動爪または係合片で押し送りするに伴って、ガラス管が相対的にずれ動けるようチャックで緩やかに把持されていなければ、可動爪または係合片の押圧によるストレスがチャックとの間でガラス管に加わってしまう。このため、ガラス管を安定よく把持し、なお且つ、ガラス管を相対的にずれ動かせられるよう緩やかに把持することの可能なチャックを備え付けることが必要となる。
【０００７】
上述した以外に、略台形に折り曲げた板バネでなる支持台を取手棒の先端側に取り付け、鰐口状のクリップを支持台の内側に介装すると共に、クリップと支持台とを支軸で相対的にズレ動可能に軸着し、支持台の側板を引張り紐で拡開する操作レバーを取手棒の握り部に取り付け、更に、略Ｌの字状を呈する突張りアームを支持台の下部側からソケットケースまで伸びるよう取手棒の側面に支軸で軸着した蛍光灯交換器具が知られている（特許文献５）。
【０００８】
その蛍光灯交換器具は、蛍光灯の取外し時で説明すれば、クリップを半開きでガラス管にあてがい、取手棒がクリップと支持台との支軸点より突張りアームの張出し側と反対方向に斜めになるよう保ち、突張りアームの先端側を片側のソケットケースにあてがうと共に、ガラス管をクリップで把持し、次いで、取手棒を垂直方向に移動することにより、突張りアームをソケットケースに圧接させてテコとすることから、ガラス管を把持したクリップにより灯全体を軸線方向に動かせて口金をソケットより取り外せるよう構成されている。
【０００９】
その蛍光灯交換器具では、上述したようにクリップを半開きでガラス管にあてがった状態で取手棒の軸線を斜めに保つことにより、突張りアームの先端側を片側のソケットケースにあてがうという手間が掛かって不安定な作業が必要となる。また、突張りアームをソケットケースに圧接するテコ状態のままでソケットケースより擦り下げて灯全体をソケットから外すという無理な作業も必要となる。
【特許文献１】特開平１０−２５５７１７
【特許文献２】実用新案登録第３０９９０６６号
【特許文献３】特開平９−５７６４４
【特許文献４】特開平１０−５７２
【特許文献５】実用新案登録第３０１７８６２号
【発明の開示】
【発明が解決しようとする課題】
【００１０】
本発明の第１の課題は、ガラス管をチャックで把持することから、灯全体を軸線方向に動かしても、ストレスをガラス管に加えないで、蛍光灯を簡単な操作で容易に着脱交換可能な蛍光灯交換器具を構成するところにある。
【００１１】
本発明の第２の課題は、ガラス管をチャックで安定よく確実に把持することから、蛍光灯を簡単な操作で容易に着脱交換可能な蛍光灯交換器具を構成するところにある。
【００１２】
本発明の第３の課題は、蛍光灯を簡単な構成の作動手段により簡単な操作で容易に着脱交換可能な蛍光灯交換器具を構成するところにある。
【００１３】
本発明の第４の課題は、ガラス管の把持乃至は解放を確実に行えるチャックを備えてガラス管を安定よく保持可能な蛍光灯交換器具を構成するところにある。
【課題を解決するための手段】
【００１４】
本願の請求項１に係る蛍光灯交換器具は、ソケットケースに収容した出没変位可能な各ソケットと口金を接続させて天井等の比較的高所に架設装着される蛍光灯を着脱交換するもので、
軸回し操作用の取手棒と、取手棒の先端側より垂直に立ち上がる支柱軸と、取手棒の先端側より直角方向に延びて支柱軸を回転可能に軸承保持する横桁フレームとを基体とし、片側のソケットケースと位置合せするプッシャを横桁フレームの片端側に備え付け、蛍光灯のガラス管を把持乃至は解放可能なチャックを横桁フレームの上部に取付固定し、更に、取手棒の軸回し操作に伴う支柱軸の軸回りを片側のソケットケースにあてがうプッシャと横桁フレームとの相対的なズレ動きに変換する作動手段を横桁フレームに設け、蛍光灯のガラス管を把持するチャックにより、灯全体を片側のソケットから離間方向に軸線移動させて口金をソケットより外し出す器具として構成したことを特徴とする。
【００１５】
本願の請求項２に係る蛍光灯交換器具は、取手棒の先端側より立ち上がる支柱軸を長手方向中央で軸承保持する横桁フレームを基体に備え、支柱軸を介してチャックを横桁フレームの両側に取付固定すると共に、プッシャを横桁フレームの片端側に備え付けたことを特徴とする。
【００１６】
本願の請求項３に係る電球交換器具は、口金の側面に接する位置決め板を両側に立ち上げた上向きコの字状のプッシャを横桁フレームの片端側に備え付けたことを特徴とする。
【００１７】
本願の請求項４に係る電球交換器具は、四角筒状の横桁フレームを基体に備え、プッシャを横桁フレームの筒内に嵌装するスライドフレームで横桁フレームの片端側に備え付けると共に、該プッシャをスライドフレームと横桁フレームとの間に掛け渡す引張バネで横桁フレームの片端側に引張支持し、スライドフレームを引張バネに抗して押送りする偏心カムを横桁フレームの筒内で支柱軸の同軸上に取り付け、取手棒の軸回し操作に伴う偏心カムの回転により、片側のソケットケースにあてがうプッシャと横桁フレームとの相対的なズレ動きに変換する作動手段を組み付けてなることを特徴とする。
【００１８】
本願の請求項５に係る電球交換器具は、ガラス管の側面にあてがう二本の立上り軸部を基軸部より折り曲げて設けたフィンガーと、ガラス管の円管面に相応する半円弧面を有するパッドとを備え、半円弧面を上向きに，両側端を横桁フレームの長手方向に向けてパッドを横桁フレームの板面上に取り付け、フィンガーの基軸部を横桁フレームの下部縁に設けた止め環で保持させて横桁フレームの幅を隔てた二つのフィンガーをパッドの両側に相対させて組み付けると共に、フィンガーを横桁フレームの幅方向に亘って立上り軸部の相対相互に掛け渡す引張バネで互いに近接乃至は離間方向に揺動可能に組み付けたチャックを備え付けてなることを特徴とする。
【発明の効果】
【００１９】
本願の請求項１に係る蛍光灯交換器具によれば、取手棒の軸回し操作に伴う支柱軸の軸回りを片側のソケットケースにあてがうプッシャと横桁フレームとの相対的なズレ動きに作動手段で変換することから、蛍光灯のガラス管を把持するチャックにより、灯全体を片側のソケットから離間方向に軸線移動させて口金をソケットより外し出せるため、ストレスをガラス管に加えないで、蛍光灯を簡単な操作で容易に着脱交換できる。
【００２０】
本願の請求項２に係る蛍光灯交換器具によれば、取手棒の先端側より立ち上がる支柱軸を長手方向中央で軸承保持する横桁フレームを基体に備え、支柱軸を介してチャックを横桁フレームの両側に取付固定することから、長尺な蛍光灯でもチャックで安定よく保持できる。
【００２１】
本願の請求項３に係る蛍光灯交換器具によれば、口金の側面と摺接する位置決め板を両側に立ち上げた上向きコの字状のプッシャを横桁フレームの片端側に備え付けることから、ガラス管をチャックで把持する際に、ガラス管を把持するチャックの向きやチャックによるガラス管の把持位置をプッシャで容易に位置決めできる。
【００２２】
本願の請求項４に係る蛍光灯交換器具によれば、プッシャのスライドフレームを引張バネに抗して押送りする偏心カムを横桁フレームの筒内で支柱軸の同軸上に取り付け、取手棒の軸回し操作に伴う偏心カムの回転により、片側のソケットケースにあてがうプッシャと横桁フレームとの相対的なズレ動きに変換する作動手段を組み付けることから、蛍光灯を簡単な構成の作動手段で確実に着脱交換できる。
【００２３】
本願の請求項５に係る蛍光灯交換器具によれば、横桁フレームの幅を隔てた二つのフィンガーをパッドの両側に相対させて組み付けると共に、フィンガーを横桁フレームの幅方向に亘って立上り軸部の相対相互に掛け渡す引張バネで互いに近接乃至は離間可能に組み付けたチャックを備え付けるため、チャックによるガラス管の把持乃至は解放を確実に行えると共に、ガラス管の円管面に相応する半円弧面を上向きに，両側端を横桁フレームの長手方向に向けて横桁フレームの板面上に取り付けたパッドとから、蛍光灯のガラス管を安定よく保持できる。
【発明を実施するための最良の形態】
【００２４】
図示の蛍光灯交換器具は、図１で示すように長尺なガラス管ｌ１と、ガラス管ｌ１の左右に組み付けられた口金ｌ２（片側のみ図示）とでなる直管型の蛍光灯Ｌを着脱交換するものとして構成されている。
【００２５】
その蛍光灯Ｌは、比較的高所の天井等に埋込み装着される反射カバーＣの左右端に備付けのソケットケースＳ１で収容した出没変位可能な各ソケットＳ２と口金ｌ２を接続することから架設装着されている。この蛍光灯Ｌは、片側のソケットを灯全体で押圧させて没入させると共に、他方の口金を相対するソケットより離間させて外し出し、または、他方の口金を相対するソケットと接続することから着脱交換可能に備え付けられている。
【００２６】
その蛍光灯交換器具は、作業者が手で持って軸回し操作する取手棒１と、取手棒の先端側より立ち上がる支柱軸２と、取手棒１の先端側より直角方向に延びて支柱軸２を長手方向中央で軸承保持する横桁フレーム３を基体として構成されている。この構成中、横桁フレーム３には支柱軸２を長手方向中央で軸承保持する長尺なものが備え付けられている。
【００２７】
横桁フレーム３には、片側のソケットケースＳ１と位置合せするプッシャ４が片端側に備え付けられている。また、支柱軸２を介して両側に、二つのチャック５，６が横桁フレーム３の上部に取付固定されている。プッシャ４は、取手棒１の軸回し操作に伴う支柱軸２の軸回りを作動手段７で変換することから、片側のソケットケースＳ１にあてがった状態で横桁フレーム３と相対的にズレ動き可能に備え付けられている。
【００２８】
取手棒１は丸パイプ材でなり、一本の縦長棒または伸縮可能な複数本の繋ぎ棒で形成できる。その取手棒１は、先端側に嵌め合わされるホルダー８を備え、ホルダー８の開孔と嵌り合うプランジャ状のボールキー９を側面に設けることからホルダー７と着脱可能に備え付けられている。ホルダー８は、取手棒１の先端側に嵌め合せる円筒部８ａと、円筒部４ａの開口に嵌着する基台部８ｂとから形成されている。支柱軸２は、ホルダー８の基台部８ｂに植立固定されている。
【００２９】
横桁フレーム３は、四角筒状の金属パイプ材で形成されている。この横桁フレーム３に対し、支柱軸２は作業者が取手棒１を手で持って軸回し操作するに伴って軸線を正，逆回転可能に挿通させて軸承保持されている。プッシャ４は、横桁フレーム３の筒内に嵌装するスライドフレーム４０で横桁フレーム３の片端側に備え付けられている。そのスライドフレーム４０に対し、プッシャ４は横桁フレーム３の筒外に突出する片端（外端）上部に締付けねじ４１で立付け固定されている。
【００３０】
スライドフレーム４０は、両端側が閉塞された横断面下向きコ字状の金属フレームで形成されている。このスライドフレーム４０は、横桁フレームの３の内のり幅と略同じ横幅を有すると共に、横桁フレーム３より低い立上り高さを有し、ビス頭が横桁フレーム３の天板内面と摺接する螺着ビス４２，４３を天板上面に備えることから、横桁フレーム３の筒内で安定よくスライド可能に組み付けられている。
【００３１】
プッシャ４としては、図２で示すように口金の側面に接する有幅の位置決め板４ａ，４ｂを底板４ｃの両側より立ち上げた上向きコの字状に折り曲げたものが備え付けられている。
【００３２】
位置決め板４ａ，４ｂは、チャック５，６の立上りより高く（図１参照）形成し、蛍光灯の取外し時に、縦辺縁をソケットケースＳ１の前面側に位置合せさせてあてがうと共に、先端側より蛍光灯Ｌの口金ｌ２に当てて当該口金ｌ２を両板間に受け入れることから、チャック５，６の向きやチャック５，６によるガラス管ｌ１の把持位置を定められるよう設けられている。先端側は、蛍光灯Ｌの口金ｌ２を両板間に受け入れ易くするよう内向きに弯曲するカール部４ｄ，４ｅで形成されている。
【００３３】
チャック５，６は、ガラス管ｌ１の側面にあてがうフィンガー５０，６０と、ガラス管ｌ１の円管面に相応する半円弧面を有するパッド５１，６１とを備えて組み立てられている（図１参照）。
【００３４】
フィンガー５０，６０（片方のみ図示）は、図３ａで示すように二本の立上り軸部５０ａ，５０ｂを基軸部５０ｃ，５０ｄより折り曲げて設けると共に、基軸部５０ｃ，５０ｄを軸端とし、立上り軸部５０ａ，５０ｂを橋絡軸部５０ｅで連続させて二つ折りしたもので形成されている。立上り軸部５０ａ，５０ｂは、図３ｂで示すように先端側がガラス管ｌ１の側回り球面に沿うよう湾曲させて形成されている。
【００３５】
パッド５１，６１（片方のみ図示）は、図４並びに図５で示すようにプラスチック製の外パッド部５１ａと、滑止め用の内パッド部５１ｂとから形成されている。このパッド５１，６１は、半円弧面を上向きに、両側端を横桁フレーム３の長手方向に向けて横桁フレーム３の天板面上に圧入ピン５１ｃで軸着固定されている。
【００３６】
フィンガー５０，６０（片方のみ図示）は、二つ５０，５０’を対にし、横桁フレーム３の幅を隔てパッド５１の両側に相対させて組み付けられている。二つのフィンガー５０，５０’は、支持板５２を横桁フレーム３の底板外面に締付けねじ５３であてがい固定し、基軸部５０ｃ，５０ｃ’を支持板５２の両端部に設けた止め環５２ａ，５２ｂで保持させて相対されている。また、横桁フレーム３の幅方向に亘って立上り軸部５１ａ，５１ａ’の相対相互に掛け渡すコイルスプリングによる引張バネ５４，５５で互いに近接乃至は離間可能に組み付けられている。
【００３７】
プッシャの作動手段７としては、横桁フレーム３の筒内で支柱軸２の同軸上に圧入固定された偏心カムが備え付けられている。この偏心カム７は、図５で示すように平面略楕円形を呈するもので、通常時にスライドフレーム４０と当接する側が短く、反対側が長くなるよう偏心位置に圧入する支柱軸２で保持されている。なお、プッシャ４は締付けねじ４１，５３の軸線間に掛け渡すコイルスプリングによる引張バネ４４（図１参照）で横桁フレーム３の片端側に引張り支持されている。
【００３８】
横桁フレーム３の片側面には、偏心カム７が横桁フレーム３の内側で正，逆回転するのを許容する開口（図示せず）が設けられている。また、偏心カム７の正，逆回転を誘導するガイドプレート３０が開口を塞ぐよう設けられている。
【００３９】
ガイドプレート３０は、スライドフレーム４０に近い側を自由端とし、偏心カム７の正，逆回転に応じて開口を開閉するよう横桁フレーム３の側面に備え付けられている。即ち、自由端と反対側の端部側を板バネ状に弾性変形可能に螺着ビス３１で止着し、支軸３２を支柱軸２に近い板面位置より横桁フレーム３の幅方向に挿通固定すると共に、支軸３２の軸線上に嵌装するコイルスプリングによる伸長バネ３３を支軸３２の頭部とプレート面との間に介装させて開閉可能に取り付けられている。
【００４０】
このように構成する蛍光灯交換器具は、蛍光灯の外出し時に、作業員が取手棒１を手で持ち、まず、プッシャ４の縦辺縁をソケットケースＳ１の前面側に当てると共に、位置決め板４ａ，４ｂのカール部４ｄ，４ｅを蛍光灯Ｌの口金ｌ２に当てて横桁フレーム３を全体的に水平に保って多少押し上げれば、蛍光灯Ｌの口金ｌ２を位置決め板４ａ，４ｂの板間に受け入れられる。これにより、プッシャ４が当接するソケットケースＳ１を基準に、チャック５，６の向きやチャック５，６によるガラス管ｌ１の把持位置を定められる。
【００４１】
チャック５，６によるガラス管ｌ１の把持位置が定まったならば、横桁フレーム３を全体的に水平に保って取手棒１で更に多少押し上げると、蛍光灯Ｌのガラス管ｌ１をチャック５，６でくわえ込める。この際、二つのフィンガー５０，５０’が先端側より引張バネ５４，５５で離間変位しながらガラス管ｌ１を受け入れ、ガラス管ｌ１の受入れと同時に近接変位することから、蛍光灯Ｌのガラス管ｌ１をチャック５，６で確実に把持できる。
【００４２】
蛍光灯Ｌのガラス管ｌ１をチャック５，６で把持したならば、図示の場合、作業員が取手棒１を反時計方向に略半回転させると、支柱棒２で保持された偏心カム７が略半回転する。
【００４３】
それに伴って、偏心カム７がスライドフレーム４０を押し送ることから、図６で示すように片側のソケットケースＳ１にあてがうプッシャ４と横桁フレーム３とがストロークＸ分だけ相対的にズレ動き、蛍光灯Ｌのガラス管ｌ１を把持するチャック５，６により、灯全体を片側のソケットＳ２から離間方向に軸線移動する。この際に、蛍光灯Ｌのガラス管ｌ１を下部側よりパッド５１，６１で受け止めているため、蛍光灯Ｌのガラス管ｌ１とチャック５，６とがズレ動いてしまうこともない。
【００４４】
灯全体を片側のソケットＳ２より離間方向に軸線移動すると、他側のソケットを灯全体で押圧することにより没入させられるため、プッシャ側の口金ｌ２を相対するソケットＳ２より外し出せる。
【００４５】
片側の口金ｌ２を相対するソケットＳ２より外し出したならば、横桁フレーム３を水平状態に保って反射カバーＣより下げるよう取手棒１を多少引き下げると、プッシャ４がソケットケースＳ１からズレ下がると共に、チャック５，６がガラス管ｌ１を把持しているため、片側の口金ｌ２が相対するソケットＳ２と位置ズレする。
【００４６】
片側の口金ｌ２が相対するソケットＳ２より位置ズレしたならば、作業員が取手棒１を時計方向に多少回転すると、偏心カム７がプッシャ４を引張バネ４４で戻し方向に引っ張ることを許容することから、ソケットケースＳ１に対するプッシャ４の当接を緩められ、チャック５，６で把持した灯全体を容易に取り外せる。その蛍光灯は、ガラス管ｌ１をチャック５，６で把持したまま取手棒１で手元まで持ち運んでチャック５，６より取り外せばよい。
【００４７】
その旧蛍光灯を外した後に新蛍光灯を取り付けるときは、プッシャ４を片側の口金に合わせると共に、当該口金を位置決め板４ａ，４ｂの間に嵌め合わせて具全体の位置を決めることから、新蛍光灯をチャック５，６で把持させる。
【００４８】
その新蛍光灯を取手棒１で高所まで持ち上げ、片側のソケットを灯全体で押圧し没入させて相対する口金を接続すると共に、プッシャ４を他側のソケットケースにあてがって該口金を相対するソケットと位置を合わせてチャック５，６で把持した新蛍光灯を取手棒１で逆に軸線移動すれば、他側の口金を相対するソケットと接続するようにできる。
【００４９】
その後は、横桁フレーム３を取手棒１で引き下げれば、チャック５，６が引張バネ４４，４５で離間変位することから、チャック５，６をガラス管ｌ１より外せる。
【００５０】
上述した実施の形態は、支柱軸２より両側に延びる横桁フレーム３を備える場合で説明したが、長さの短い蛍光灯に対応するものでは横桁フレームを支柱軸で片持ち支持するような支柱軸より片側に延びる横桁フレームを備え付けられる。
【００５１】
プッシャ４の作動手段７としては偏心カムを備え付ける場合で説明したが、その偏心カムに代えて、例えば支柱軸とスライドフレームとの間に掛け渡す屈伸リンクを組み付けることによっても、プッシャを横桁フレームと相対的にズレ動きさせられる。
【図面の簡単な説明】
【００５２】
【図１】本発明に係る蛍光灯交換器具を部分断面で示す正面図である。
【図２】図１の蛍光灯交換器具に備えるプッシャを示す側面図である。
【図３ａ】図１の蛍光灯交換器具に備えるチャックのフィンガーを示す正面図である。
【図３ｂ】図３ａのフィンガーを示す側面図である。
【図４ａ】図１の蛍光灯交換器具に備えるチャックを示す側面図である。
【図４ｂ】図４ａのチャックを示す平面図である。
【図５】図１の蛍光灯交換器具に備える偏心カムを示す平面図である。
【図６】本発明に係る蛍光灯交換器具の動きを示す説明図である。
【符号の説明】
【００５３】
Ｌ            蛍光灯
ｌ１            ガラス管
ｌ２            口金
Ｓ１            ソケットケース
Ｓ２            ソケット
１            取手棒
２            支柱軸
３            横桁フレーム
４            プッシャ
４０          スライドフレーム
４４          引張バネ
５，６        チャック
５０，６０    フィンガー
５０ａ，５０ｂ    立上り軸部
５０ｃ，５０ｄ    基軸部
５１，６１        パッド
７            作動手段（偏心カム）
２３ａ，２３ｂ    引合いバネ
３            連結部材
３ａ          コイルバネ
３ｂ          可撓管
【図１】
2007073210.tif 000003
【図２】
2007073210.tif 000004
【図３ａ】
2007073210.tif 000005
【図３ｂ】
2007073210.tif 000006
【図４ａ】
2007073210.tif 000007
【図４ｂ】
2007073210.tif 000008
【図５】
2007073210.tif 000009
【図６】
2007073210.tif 000010